【手続補正書】
【提出日】平成16年6月29日(2004.6.29)
【手続補正１】
【補正対象書類名】特許請求の範囲
【補正対象項目名】全文
【補正方法】変更
【補正の内容】
【特許請求の範囲】
【請求項１】
長距離と短距離の無線通信サービスを提供するための双距離端末と、
前記双距離端末に長距離の無線アクセスを提供するための少なくとも一つの長距離基地局と、
前記双距離端末に短距離の無線アクセスを提供するための少なくとも一つの短距離アクセスポイントと、
前記長距離基地局と短距離アクセスポイントとを接続し、長距離通信ネットワークと短距離通信ネットワークとの間に切替えを行い、双距離端末を切替えられたネットワークにアクセスさせ、ネットワークを切替えている期間に失われ可能なデータを格納し、ネットワークを切替えた後に格納されたデータを前記双距離端末に転送する双距離ネットワークサーバと、
を備えることを特徴とする長短距離組合せの無線通信システム。
【請求項２】
請求項１記載の長短距離組合せの無線通信システムに用いられる双距離ネットワークサーバであって、
長距離と短距離データ伝送を検出し、長距離と短距離データ伝送がある場合、データ伝送にアクセスサービスを提供するためのデータサービス機能実体と、
ネットワークを切替えている期間に失われ可能なデータを格納し、ネットワークを切替えた後に格納されたデータをデータサービス機能実体を通して双距離端末に転送するメモリ機能実体と、
管轄された双距離端末の双距離通信パラメータを登録し、ネットワークの切替えを起こった場合、データサービス機能実体を通してネットワークの切替え情報を取得し、端末データを更新し、双距離端末の情報を調べる時、データサービス機能実体に双距離端末の情報を通知する双距離帰属サーバと、
長距離と短距離ネットワーク及び外部ネットワークとを接続する外部ネットワークインタフェースと、
を備えることを特徴とする双距離ネットワークサーバ。
【請求項３】
前記外部ネットワークインタフェースは、有線ネットワークを接続するインタフェースと、無線ネットワークを接続するインタフェースとを備えることを特徴とする請求項２記載の双距離ネットワークサーバ。
【請求項４】
請求項１記載の長短距離組合せの無線通信システムに用いられる双距離端末であって、
ラジオ周波数機能モジュールを備え、物理層と一部ＭＡＣ層又はリンク層の機能を実現し、短距離ネットワークにおいて動作されてデータ情報を取得する短距離通信機能実体と、
ラジオ周波数機能モジュールを備え、物理層と一部のリンク線層の機能を実現する長距離通信機能実体と、
ネットワークの切替え条件に基づいてネットワークの切替えを行い、双距離ネットワークサーバにビーコン信号を送信するように短距離通信機能実体又は長距離通信機能実体を指示する双距離ネットワーク切替条件判別機能実体と、
ネットワークを切替えている期間に失われ可能なデータを格納し、ネットワークを切替えた後に格納されたデータを双距離端末の上位共通機能実体にに転送するデータ管理及びバッファ機能実体と、
表示及び入出力機能を実行する共通機能実体と、
を備えることを特徴とする双距離端末。
【請求項５】
長短距離組合せの無線通信システムを使用して長距離と短距離無線通信を行う長短距離組合せの方法において、
双距離端末がある短距離アクセスポイントのカバーするサービスエリアに位置することを検出するステップと、
双距離端末が短距離アクセスポイントのカバーするサービスエリアに位置する場合、短距離アクセスポイントを通して短距離ネットワークに接続され、且つ双距離帰属サーバにその位置を通知するステップと、
双距離端末が短距離アクセスポイントのカバーするサービスエリアのいずれかにも位置しない場合、長距離通信サービスでの基地局を通して長距離ネットワークに接続され、且つ双距離帰属サーバにその位置を通知するステップと、
双距離端末が長距離ネットワークのサービスエリアから短距離ネットワークのサービスエリアに入る時、または短距離ネットワークのサービスエリアから長距離ネットワークのサービスエリアに入る時、長距離ネットワークと短距離ネットワークとの間にネットワークの切替えを行うステップと、
ネットワークを切替えている期間に失われ可能なデータを格納し、ネットワークを切替えた後に格納されたデータをデータサービス機能実体を通して双距離端末に転送するステップと、
を含むことを特徴とする長短距離組合せの無線通信方法。
【請求項６】
双距離端末により位置する短距離ネットワークが無線ローカルエリアネットワーク（WLAN)を有することを検出した時、前記双距離端末はWLANネットワークに接続し、短距離ネットワークへの接続が成功しなかった場合、前記双距離端末は繰り返して検出しつつあり、且つ長距離ネットワークに接続するステップを更に含むことを特徴とする請求項５記載の長短距離組合せの無線通信方法。
【請求項７】
前記双距離端末はWLANネットワークに接続した場合、前記双距離端末はWLANネットワークを通して双距離サーバにアクセスしてデータ転送を行うことを特徴とする請求項６記載の長短距離組合せの無線通信方法。
【請求項８】
双距離端末が短距離WLANネットワークから離れって長距離ネットワークに入る期間、もし予定の切替え閾値に達した場合、双距離端末は短距離ラジオ周波数機能実体を通してデータを伝送することを終止し、長距離通信機能実体を起動させ、データを転送するステップを更に含むことを特徴とする請求項６記載の長短距離組合せの無線通信方法。
【請求項９】
前記予定の切替え閾値は、短距離ネットワーク信号使用不可閾値、または短距離ネットワーク信号の非最適的な閾値であることを特徴とする請求項８記載の長短距離組合せの無線通信方法。
【請求項１０】
双距離端末のサービスレベルが短距離ネットワークから長距離ネットワークへシームレス的に切替えることを要求する場合、短距離ラジオ周波数機能実体が伝送されているデータを終止し、双距離端末における短距離通信機能実体を介して離脱しようとする短距離アクセスポイントにビーコン信号を発信し、また短距離アクセスポイントからこのビーコン信号を双距離ネットワークサーバに伝送し、この双距離ネットワークサーバは双距離端末が接続しようとする長距離ネットワーク機能実体に通知し、双距離端末のサービスレベルに基づいて長距離ネットワーク機能実体中のサービス配列位置を決定することを特徴とする請求項８記載の長短距離組合せの無線通信方法。
【請求項１１】
双距離端末が長距離ネットワークから短距離ネットワークに入ろうとする時、もし予定の切替え閾値に達した場合、双距離端末は長距離ラジオ周波数機能実体を通してデータを伝送することを終止し、短距離通信機能実体を起動させ、データを転送するステップを更に含むことを特徴とする請求項５記載の長短距離組合せの無線通信方法。
【請求項１２】
双距離端末のサービスレベルが長距離ネットワークから短距離ネットワークへシームレス的に切替えることを要求する場合、長距離ラジオ周波数機能実体が伝送されているデータを終止し、双距離端末における長距離通信機能実体を介して離脱しようとする長距離ネットワーク機能実体にビーコン信号を発信し、また長距離ネットワーク機能実体からこのビーコン信号を双距離ネットワークサーバに伝送し、この双距離ネットワークサーバは双距離端末が接続しようとする短距離通信機能実体に通知し、双距離端末のサービスレベルに基づいて短距離ネットワーク機能実体中の優先度を決定することを特徴とする請求項１１記載の長短距離組合せの無線通信方法。
【請求項１３】
双距離端末は一方の短距離小区から他方の短距離小区に移動する時、双距離端末は入ろうとする短距離アクセスポイントを判別し、対応する小区情報を双距離ネットワークサーバに伝送することによって、短距離小区間の切替えを実現するステップを更に含むことを特徴とする請求項６記載の長短距離組合せの無線通信方法。
【請求項１４】
双距離端末は一方の短距離小区から他方の短距離小区に移動する時、双距離端末は既に他の短距離小区に位置したことを双距離ネットワークサーバの帰属サーバに通知し、帰属サーバはネットワーク中の他の端末からのアクセス及び通信を担当するステップを更に含むことを特徴とする請求項１３記載の長短距離組合せの無線通信方法。
【請求項１５】
前記双距離端末がある短距離アクセスポイントのカーバーサービスエリアに位置するかを検出するステップは、
双距離端末が長距離と短距離ラジオ周波数機能実体を常に動作状態にし、長距離または短距離ネットワーク環境がリアルタイムで検出され、双距離端末切替管理手段に絶えず帰還され、所定のタイミングで又は必要な時に、既存のネットワークを介して双距離ネットワークサーバに返信されるステップを含むことを特徴とする請求項５記載の長短距離組合せの無線通信方法。
【請求項１６】
前記双距離端末がある短距離アクセスポイントのカーバーサービスエリアに位置するかを検出するステップは、
双距離端末が位置するネットワークのラジオ周波数機能実体を動作状態にし、候補ネットワークを検出するために定期または不定期的に他のネットワークのラジオ周波数機能実体を起動させるステップを含むことを特徴とする請求項５記載の長短距離組合せの無線通信方法。
【請求項１７】
前記双距離端末がある短距離アクセスポイントのカーバーサービスエリアに位置するかを検出するステップは、
双距離端末が位置するネットワークのラジオ周波数機能実体を動作状態にし、既存のネットワークが使用不可である時のみ、他のネットワークを検出するステップを含むことを特徴とする請求項５記載の長短距離組合せの無線通信方法。
【請求項１８】
他のネットワークが存在することを最後に見つかった時間間隔を関数とするステップ長可変検出方法により、不定期に他のネットワークのラジオ周波数機能実体を起動させて候補ネットワークとして検出されることを特徴とする請求項１６記載の長短距離組合せの無線通信方法。
【請求項１９】
前記予定の切替え閾値は、優先順位の高いネットワークが存在する場合、双距離端末を優先順位の高いネットワークに切替えせるものであることを特徴とする請求項８記載の長短距離組合せの無線通信方法。
【請求項２０】
前記予定の切替え閾値は、現在使用されている無線ネットワーク信号が存在しない時のみ、双距離端末を他の無線ネットワークに切替えせるものであることを特徴とする請求項８記載の長短距離組合せの無線通信方法。
【請求項２１】
前記予定の切替え閾値は、優先順位の高いネットワークが存在する場合、双距離端末を優先順位の高いネットワークに切替えせるものであることを特徴とする請求項１１記載の長短距離組合せの無線通信方法。
【請求項２２】
前記予定の切替え閾値は、現在使用されている無線ネットワーク信号が存在しない時のみ、双距離端末を他の無線ネットワークに切替えせるものであることを特徴とする請求項１１記載の長短距離組合せの無線通信方法。
【請求項２３】
前記予定の切替え閾値は、優先順位の高いネットワークが存在する場合、双距離端末を優先順位の高いネットワークに切替えせるものであることを特徴とする請求項１３記載の長短距離組合せの無線通信方法。
【請求項２４】
前記予定の切替え閾値は、現在使用されている無線ネットワーク信号が存在しない時のみ、双距離端末を他の無線ネットワークに切替えせるものであることを特徴とする請求項１３記載の長短距離組合せの無線通信方法。
【請求項２５】
前記双距離ネットワークサーバは、双距離端末に合わせて、
長（又は短）距離ネットワーク機能実体により、ユーザからのビーコン信号を検出し、切替えが生じたかどうかを確認する第１ステップと、
双距離帰属レジスタに格納しているユーザ情報を更新する第２ステップと、
現在データ伝送があるかどうかを判断し、なければ第１ステップに戻る第３ステップと、
現在ネットワークの切替えが必要であるかどうかを判断し、必要でなければ第１ステップに戻る第４ステップと、
データ格納を行い、切替動作が終わった後、格納されているデータをユーザに送信する第５ステップと、
を実行することを特徴とする請求項５記載の長短距離組合せの無線通信方法。
【請求項２６】
長距離ネットワークに位置する一つの双距離端末は、短距離アクセスポイントのサービスエリアに入ることを要求し、且つ短距離ネットワークへの接続が成功しなかった時、前記双距離端末そのまま長距離通信を保持することを特徴とする請求項１１記載の長短距離組合せの無線通信方法。
【請求項２７】
必要に応じて切替えの優先順位を予めに定義し、双距離端末が自動的に切替えることができることを特徴とする請求項５記載の長短距離組合せの無線通信方法。
【手続補正２】
【補正対象書類名】明細書
【補正対象項目名】全文
【補正方法】変更
【補正の内容】
【発明の詳細な説明】
【発明の名称】長短距離組合せの無線通信システムおよびその方法
【技術分野】
【０００１】
本発明は、無線通信システム及びその実現方法に関し、特に長距離と短距離の無線通信技術を結合し、シームレスな切替えリンクが実現できる無線通信システムに関し、通信技術分野に属する。
【背景技術】
【０００２】
現在の通信ネットワーク手段には、GSM/GPRSと未来の３Ｇはいずれも長距離通信である。長距離通信の主な特徴は、カバーする面積が広い、敷設費が低廉、運営費用が高い、伝送レートが低いなどである。これは「海洋」の概念として表現される。現在、例えば802.11とＢＴなどが短距離通信方式である。その特徴は、オフィスエリア、特定の商業エリアなどで、カバーする範囲が限られ、敷設費が高い、運営費用が低廉、伝送レートが高いなどである。これは「島」の概念として表現され、一つ一つが独立し、明らかに領域制限の特性を有する。
【０００３】
GSM900/1800ネットワーク、GSM/GPRSと第三世代モバイル通信の会話型ネットワークは、すべて長距離の概念、すなわち「海洋」という概念になり、採用する動作方式はいずれもＴＤＭＡ、ＣＤＭＡなどの多重化方式である。また、長距離と短距離（以下「長短距離」という）のネットワークにおいは、短距離ネットワークでは、短距離伝送に適用できるＣＳＭＡ／ＣＡなどの動作方式を採用することが多く、同時に長距離ネットワークにでは、その送信電力が非常に大きくなるが、ローカルネットワーク、例えばWLANネットワークに制限されるため、その送信電力が制限され、「島」という特性を表すことができる。なお、長距離ネットワークに対して、短距離ネットワークは周波数帯域が比較的広く、伝送レートが速く、コストが低廉であるなどの利点を有している。
【０００４】
長距離と短距離のネットワークを結合すれば、夫々の利点が互いに補充合うことを実現し、端末が、異なる要求に従って同時に長距離と短距離両方からのサービスを受信することができるようにし、例えば長距離で音声サービスを取得し、短距離によってデータサービスを取得する、すなわち、長短距離ネットワークには、長距離ネットワークカバーレンジに短距離通信の特徴が明らかに存在する。これは従来技術に対してより大きな貢献を与える。
【発明の開示】
【発明が解決しようとする課題】
【０００５】
本発明の目的は長短距離組合せ技術の無線通信システム及びその方法を提供することにある。
また、本発明の他の目的は、長短距離組合せ技術の無線通信双距離端末を提供することにある。
本発明のさらに他の目的は、長短距離組合せ技術の双距離ネットワークサーバを提供することにある。
【課題を解決するための手段】
【０００６】
本発明によれば、無線長距離通信を保証するとともに、ユーザは当該短距離カバーエリアに入った時には切替えが自動的に行われ、容量評価と安全問題などを内容としたシームレスな切替えが行われ、短距離通信であり、且短距離無線接続点により全てのネットワークに接続されたことで、二つのネットワーク資源がより有効的に総合利用することが実現される。
【０００７】
本発明の目的は次の形態により実現される。
本発明の長短距離組合せの無線通信システムは、長距離と短距離の無線通信サービスを提供するための双距離端末と、前記双距離端末に長距離の無線アクセスを提供するための少なくとも一つの長距離基地局と、前記双距離端末に短距離の無線アクセスを提供するための少なくとも一つの短距離アクセスポイントと、前記長距離基地局と短距離アクセスポイントとを接続し、長距離通信ネットワークと短距離通信ネットワークとの間に切替えを行い、双距離端末を切替えられたネットワークにアクセスさせ、ネットワークを切替えている期間に失われ可能なデータを格納し、ネットワークを切替えた後に格納されたデータを前記双距離端末に転送する双距離ネットワークサーバと、を備えることを特徴とする。
【０００８】
本発明の双距離ネットワークサーバは、前記長短距離組合せの無線通信システムに用いられる双距離ネットワークサーバであって、長距離と短距離データ伝送を検出し、長距離と短距離データ伝送がある場合、データ伝送にアクセスサービスを提供するためのデータサービス機能実体と、ネットワークを切替えている期間に失われ可能なデータを格納し、ネットワークを切替えた後に格納されたデータをデータサービス機能実体を通して双距離端末に転送するメモリ機能実体と、管轄された双距離端末の双距離通信パラメータを登録し、ネットワークの切替えを起こった場合、データサービス機能実体を通してネットワークの切替え情報を取得し、端末データを更新し、双距離端末の情報を調べる時、データサービス機能実体に双距離端末の情報を通知する双距離帰属サーバと、長距離と短距離ネットワーク及び外部ネットワークとを接続する外部ネットワークインタフェースと、を備えることを特徴とする。
【０００９】
本発明の双距離端末は、前記長短距離組合せの無線通信システムに用いられる双距離端末であって、ラジオ周波数機能モジュールを備え、物理層と一部ＭＡＣ層又はリンク層の機能を実現し、短距離ネットワークにおいて動作されてデータ情報を取得する短距離通信機能実体と、ラジオ周波数機能モジュールを備え、物理層と一部のリンク線層の機能を実現する長距離通信機能実体と、ネットワークの切替え条件に基づいてネットワークの切替えを行い、双距離ネットワークサーバにビーコン信号を送信するように短距離通信機能実体又は長距離通信機能実体を指示する双距離ネットワーク切替条件判別機能実体と、ネットワークを切替えている期間に失われ可能なデータを格納し、ネットワークを切替えた後に格納されたデータを双距離端末の上位共通機能実体に転送するデータ管理及びバッファ機能実体と、表示及び入出力機能を実行する共通機能実体と、を備えることを特徴とする。
【００１０】
本発明の長短距離組合せの無線通信方法は、長短距離組合せの無線通信システムを使用して長距離と短距離無線通信を行う長短距離組合せの方法において、双距離端末がある短距離アクセスポイントのカバーするサービスエリアに位置することを検出するステップと、双距離端末が短距離アクセスポイントのカバーするサービスエリアに位置する場合、短距離アクセスポイントを通して短距離ネットワークに接続され、且つ双距離帰属サーバにその位置を通知するステップと、双距離端末が短距離アクセスポイントのカバーするサービスエリアのいずれかにも位置しない場合、長距離通信サービスでの基地局を通して長距離ネットワークに接続され、且つ双距離帰属サーバにその位置を通知するステップと、双距離端末が長距離ネットワークのサービスエリアから短距離ネットワークのサービスエリアに入る時、または短距離ネットワークのサービスエリアから長距離ネットワークのサービスエリアに入る時、長距離ネットワークと短距離ネットワークとの間にネットワークの切替えを行うステップと、ネットワークを切替えている期間に失われ可能なデータを格納し、ネットワークを切替えた後に格納されたデータをデータサービス機能実体を通して双距離端末に転送するステップと、を含むことを特徴とする。
【００１１】
本発明に係る長短距離無線通信の結合は、人々の生活に利便性を与え、現在の長距離、短距離システムが分立されておきた局面を基本的に変えることができる。本発明は以下の長所を備える。
【００１２】
いかなる場合には、無線長距離によって実時間伝送が実現されること；端末が、許可された無線短距離ローカルネットワークに入る場合には、自動・優先的に短距離通信システムに切り替え、ユーザが伝送している取引フローが中止されることを確保し、シームレスな切替が実現されること；ユーザは短距離無線ローカルネットワークから離れた時には、端末が自動的に長距離ネットワークに切り替えることを保証し、且ユーザが伝送している取引フローが中止されることを確保し、シームレスな切替が実現されること。
【００１３】
本システムのほかのユーザ端末は、いずれかの許可された端末に対して呼出・照会をする時には、このシステムは、ユーザが短距離ローカルネットワークまたは長距離ローカルネットワークのいずれかにかかわらず、アクセスされたことを確保できる。
【発明を実施するための最良の形態】
【００１４】
本発明は、無線通信システムを「海洋＋島」という構造に構築し、その長距離基地局は全ての有効地域をカバーするのに用いられ、短距離AP（Access Points）はユーザが相対的に集中する地域、例えばオフィス・ビル街、住宅街、商業街などをカバーするのに用いられ、一つの長短距離サーバは、短距離APと長距離基地局とを接続し、双距離端末が全ての短距離APと長距離基地局とによりカバーされた領域の間に自在に移動する。
【００１５】
本発明の基本動作原理は、下記の通りである。
双距離端末をオンしてから、まず端末がある短距離APサービス範囲内にあるかどうかを検出し、範囲内にあれば、短距離APを通して短距離ネットワークに接続し、双距離帰属サーバにその位置を通知する。また、端末がいずれの短距離APサービス範囲内になければ、長距離サービスの基地局を捜索し、長距離基地局を通してネットワークに接続し、双距離帰属サーバにその位置を通知する。
【００１６】
長距離ネットワークにある一つの双距離端末は、いずれかの短距離APサービス範囲内に入る場合、ユーザは短距離APを検出し、その短距離信号が所定の閾値以上であれば、双距離端末は自動的に短距離チャンネルに切替わり、短距離APからネットワークに接続し始め、長距離で行っているデータ伝送が短距離ネットワークによって行われ、シームレスな切替えが実現され、且つ端末はその帰属サーバにその位置が通知され、サーバはネットワークの他の端末からのアクセス及び通信を担当する。
【００１７】
短距離ネットワークにある一つの双距離端末は、この短距離領域から離れて長距離ネットワークに入る場合、端末は短距離AP信号を検出し、その短距離信号が所定の閾値以下であれば、双距離端末は自動的に長距離ネットワークに切替わり、その短距離で行っているデータ伝送が長距離ネットワークによって行われ、シームレスな切替えが実現され、且つ端末はその帰属サーバにその位置が通知され、サーバはネットワークの他の端末からのアクセス及び通信を担当する。
【００１８】
長距離ネットワークにある一つの双距離端末は、いずれかの短距離APサービスエリアに進入することを要求した時、そのエリアのＡＰが安全問題又は他の問題に起因して、無線端末の接続を拒否すれば、無線端末はそのまま長距離通信を保持する。
【００１９】
一つの双距離端末は、一方の短距離小区から他方の短距離小区に移動された時、入ろうとする短距離APを判別し、当該する小区情報を双距離ネットワークサーバに伝送することによって、短距離小区間の切替えが実現される。双距離端末は他の短距離ネットワーク範囲内に位置することを双距離ネットワークサーバの帰属サーバに通知し、帰属サーバはネットワーク中の他の端末からのアクセス及び通信を担当する。
【００２０】
次に、長距離GSM/GPRSと短距離WLANとを双距離結合する無線通信システムを例として、本発明を説明する。前記の無線通信システムのネットワークフレームは、GSM/GPRS基地局及び長距離アクセスに関するネットワーク機能実体と、無線ローカルネットワークAP及び短距離アクセスに関するネットワーク機能実体と、長距離GSM/GPRSネットワークと短距離WLANネットワークをリンクする双距離ネットワークサーバと、長距離と短距離をコンパチブルする双距離端末とから構成される。その基本的なネットワーク構造は、図１に示される。本発明は図１の実例に限定されるものではなく、長距離３Ｇと短距離WLANとを結合するフレーム、又は他の長距離と短距離通信方式の結合フレームも含む。
【００２１】
以下、図１及び図２を参照して、GSM/GPRSとWLANを組み合わせた双距離ネットワークを実施例として、具体的に説明する。
１、双距離ネットワークにおいて双距離端末はオンにした後
本発明に記載されるシステムに対して、双距離端末は、ユーザによってオンにされてから、現在位置するネットワークの環境を自動的に探索し、もし無線ローカルエリアネットワークWLANネットワークが存在し、且つ検証する必要がなければ、WLANネットワークに直接接続され、一方、もし検出結果が現在のWLANネットワークの検証する必要とするものであれば、双距離端末はWLANによってアクセス検証がなされ、検証が成功であれば、現在のWLANネットワークに接続し、不成功であれば、引き続検出し、長距離GPRSネットワークに進入することになる。
双距離端末は、WLANネットワークに接続してから、WLANネットワークを介して双距離サーバに接続され、データ伝送を行う。
【００２２】
２、ネットワーク間の切り替え
２.１短距離WLANネットワークから長距離GPRSネットワークへの切り替え
双距離端末が短距離WLANネットワークを離れ、GPRSネットワークへ入ろうとする時、ユーザは対応する切替対策により判別し、切替対策閾値（当該する切替対策閾値とは、短距離ネットワーク信号不可用閾値であってもよいし、短距離ネットワーク信号の最適でない閾値であってもよい）に達すれば、双距離端末は切替対策で短距離ラジオ周波数機能実体を介するデータ伝送を終止させ、長距離通信機能実体を起動し始め、この機能実体によって次の発生可能なデータ伝送を実現し、当該双距離端末のサービスレベルが、その切替えがシームレスな切替えとなるように要求されれば、ユーザは、WLANラジオ周波数機能実体が伝送されているデータを終止した時に、さらに端末中の短距離通信機能実体を介して、離脱しようとする短距離APに一つの長短距離切替えのビーコン信号を発信し、当該ビーコン信号がこの短距離APにより、双距離ネットワークサーバに伝送され、この双距離ネットワークサーバは対応するビーコン信号を受信してから、双距離端末が接続するであろう長距離ネットワーク機能実体に通知し、双距離端末のサービスレベルに基づいて長距離ネットワーク機能実体中のサービス配列位置を決定する。
【００２３】
同時に、双距離ネットワークサーバは、記憶方式を採用してこの切替プロセスにおいて失われる可能性のあるデータパケットを保持して、切替えが終わった後にこの双距離端末に再転送することにより、双距離端末の切替プロセス中にデータが失われることがないことを確保できる。
【００２４】
２.２長距離GPRSネットワークから短距離WLANネットワークへの切り替え
双距離端末は、長距離GPRSネットワークから短距離WLANネットワークへ入ろうとする時、対応する切替対策により判別し、切替対策閾値に達すれば、切替対策で長距離ラジオ周波数機能実体を介するデータ伝送を終止させ、短距離通信機能実体を起動し始め、この機能実体を利用して次の発生可能なデータ伝送が実現される。
【００２５】
また、双距離端末は、長距離通信機能実体が伝送されているデータを終止した場合、双距離端末の基地局及び当該するGPRSネットワーク機能実体を介して、離脱しようとする長距離機能実体に一つの長短距離切替えのビーコン信号を発信し、当該ビーコン信号がGPRS機能実体により双距離ネットワークサーバに伝送され、前記双距離ネットワークサーバは、当該するビーコン信号を受信してから長距離ネットワーク機能実体に通知し、双距離端末のサービスレベルに基づいて、短距離ネットワーク機能実体中の優先度を決定する。
同時に、双距離ネットワークサーバは、記憶方式を採用してこの切替プロセスにおいて失われる可能性のあるデータパケットを保持して、切替えが終わった後にこの双距離端末に再転送することにより、双距離端末の切替プロセス中にデータが失われることがないことを確保できる。
【００２６】
２.３一方の短距離ネットワークから他方の短距離ネットワークへの切替え
双距離端末は、一方の短距離小区から他方の短距離小区へ移動する時、双距離端末が入ろうとする短距離APを判別し、当該する小区情報を双距離ネットワークサーバに伝送することで、短距離小区間の切替えが実現される。また、双距離端末が他の短距離ネットワーク範囲内に位置したことを双距離ネットワークサーバの帰属サーバに通知し、帰属サーバはネットワーク中の他の端末からのアクセス及び通信を担当する。
【００２７】
２.４自動切換え
ユーザは、必要に応じて、双距離端末が自動的に切替えるように予め切替の優先順位を自己定義し、例えば料金、伝送レート、品質安定性などに従って優先順位などを設定する。双距離端末は優先条件に基づいて自動的に識別して切替える。また、ユーザは、短距離カバーレンジに位置する場合であっても、短距離APを使用せずに、直接長距離で通信を行うこともできる。
【００２８】
３、走査と検出
長短距離ネットワークフレームに対して、最も重要な問題は、
（１）双距離端末が、長距離と短距離ラジオ周波数機能実体が動作状態にあることを常に保持し、存在可能な長距離または短距離ネットワーク環境をリアルタイムで検出し、双距離端末切替管理手段に絶えずに帰還され、所定のタイミングで又は必要の時に、既存のネットワークを介して双距離ネットワークサーバに返信されること；
（２）双距離端末が、既存のネットワークを支持するラジオ周波数機能実体が動作状態にあることを常に保持し、他のネットワークに対して定期または不定期に当該するラジオ周波数機能実体を起動させ、候補ネットワークが検出されること；
（３）双距離端末が、既存のネットワークを支持するラジオ周波数機能実体が動作状態にあることを常に保持し、他のネットワークに対して走査検出が行われず、既存のネットワークが使用不可である時のみ、他のネットワークに対して検出を行うこと；
である。
【００２９】
前記不定期に当該するラジオ周波数機能実体を起動させて候補ネットワークが検出されることは、特定アルゴリズム、例えば他のネットワークが存在することを最後に見つかった時間間隔を関数とするステップ長可変検出方法により、候補ネットワークに対して検出を行う。
【００３０】
４、切替対策
切替対策はネットワーク実現者の異なる状況によって選択され、以下のような２種類の切替対策が例として挙げられる。ただし、本発明に含まれる切替対策は以下の両例に限定されない。
（１）優先順位ネットワーク切替対策、すなわち、優先順位の高いネットワークが存在すると、既存のネットワークが使用可であるかどうかにかかわらず、このネットワークに切替え、ユーザは、必要に応じて各無線ネットワークの優先順位を自己定義、例えば伝送レート、使用料金などに基づき行えばよい。
（２）現在で使用されている無線ネットワーク信号が存在しない時のみ、他のネットワークに切替える。この切替対策とは、双距離端末の現在位置するネットワークは使用不可である時のみ、切替えを行い、そのネットワークは使用可であれば、高い優先順位のネットワークが存在しても切替えを行わないことを意味する。
【００３１】
図３は双距離ネットワークサーバ機能モジュールの構造を示す図である。双距離ネットワークサーバは、データサービス機能実体と、メモリ機能実体と、双距離帰属サーバと、外部ネットワークインタフェースとを備える。
データサービス機能実体は、長短距離データ伝送が発生されたかどうかを検出し、前記データ伝送は、長距離と短距離ネットワークとの間の双距離端末間のデータ伝送と、長距離または短距離ネットワーク中の双距離端末が外部ネットワークに対するデータ伝送を含む。
【００３２】
長（短）距離ネットワーク内の双距離端末間のデータ伝送については、長（短）距離ネットワーク機能実体で完成し、長短距離データ伝送が発生すれば、このデータ伝送にアクセスサービスを提供する。
【００３３】
また、データサービス機能実体は、長（短）距離ネットワーク機能実体が転送された双距離端末のビーコン信号を検出し、双距離端末が長（短）距離ネットワーク間に切替えが発生したかどうかを判断し、切替えが発生したとすれば、新しい端末情報（例えば当該端末が切替えた後のネットワーク名）を双距離帰属レジスタに報知される。
【００３４】
メモリ機能実体は、切替える時に発生可能な欠落データを記憶し、端末を切替えた後に、記憶されたデータがデータサービス機能実体を通じて端末に転送されることで、端末の双距離ネットワークのシームレスな切替えを実現することができる。
【００３５】
双距離帰属サーバは、管轄された双距離端末の双距離特性パラメータ、例えば、位置するネットワーク状況、端末優先順位パラメータ等を記載し、双距離切替が生じた時にデータサービス機能実体により、端末切替情報を取得し、且つ端末データの更新を行い、端末に対するアクセスがあった時には、端末に係る双距離情報がデータサービス機能実体に報知される。
【００３６】
外部ネットワークインタフェースは、双距離ネットワークと外部ネットワークとを接続するためのインタフェースで、前記外部ネットワークインタフェースは無線インタフェースと、有線ネットワークとのインタフェースと、他の無線ネットワークとのインタフェースとを備える。
【００３７】
図４は双距離ネットワークサーバが切替える時のフローチャートである。双距離端末は、一方のネットワークから他方のネットワークに移動する時、双距離ネットワークサーバは、双距離端末に合わせて切替えを行う。その切替プロセスは以下のようなステップを実行する。
第１ステップは、長（又は短）距離ネットワーク機能実体により、ユーザの双距離ビーコン信号を検出し、切替えが発生したかどうか調査し、発生しなければ検出を繰り返して行う、発生した場合、第２ステップに進む。
【００３８】
第２ステップは、双距離帰属レジスタのユーザ情報を更新する。
第３ステップは、現在にはデータ伝送があるかどうかを判断し、なければ第１ステップに戻る。
第４ステップは、シームレスな切替えが必要であるかどうかを判断し、必要でなければ、第１ステップに戻る。
第５ステップは、データバッファリングを行い、切替動作が終わった後、バッファリングされているデータをユーザに送信する。
【００３９】
図５は双距離端末の機能構造を示す図である。本発明に係る双距離端末は、長距離と短距離の両ネットワークにおいての移動を実現するために、両ネットワークの特徴に適応する構造を有しなければならない。これは、短距離ラジオ周波数機能モジュールを備え、及び物理層と一部MAC層又はリンク層の機能が実現され、データ情報を取り得たように短距離ネットワークの中で動作するための短距離通信機能実体と、長距離ラジオ周波数機能モジュールを備え、及び物理層と一部リンク層の機能が実現された長距離通信機能実体と、当該する双距離切替判別の条件で、そのネットワークに対して切替動作を行い、短距離通信機能実体又は長距離通信機能実体に双距離ネットワークサーバにビーコン信号を送信することが命令されるためのデュアルネットワーク切替判別策略機能実体と、を少なくとも含んでいる。
【００４０】
共通機能実体は、基本端末が有している表示及び入出力機能を実現するためのものである。
前記双距離端末は、デュアルネットワーク切替判別策略機能実体によって、長（短）通信機能実体のラジオ周波数機能モジュールの動作状態を制御し、すなわち、（１）長短距離ラジオ周波数機能モジュールが同時に動作したり、（２）状況によって、ステップ長が可変で動作したり、（３）一方のネットワークが存在しない時のみ、他方のラジオ周波数実体を起動して動作させ、ネットワークを捜索する。
【００４１】
本発明に係る双距離端末は、オプションとして、データ管理及びデータバッファ機能実体をさらに含み、切替過程に当該するデータを管理及びバッファリングする。
双距離端末は従来の端末と異なり、同時に長距離と短距離機能実体を有し、従って、これは存在可能な短距離、例えばWLAN及び長距離GSM/GPRSまたは3Gネットワークを同時に検出したり、または自動的に捜索したりすることができ、短距離と長距離機能実体を介して短距離または長距離データサービス（特殊データサービスである音声も含む）伝送を行うことができる。従来の端末ともう一つの異なる所は、デュアルネットワーク切替判別策略機能実体をさらに備える点であり、当該する双距離切替判別の条件で、そのネットワークに対して切替動作をさせ、双距離ネットワークサーバにビーコン信号を送信するように短距離通信機能実体又は長距離通信機能実体を指示する。同時に、オプションとして、データ管理及びデータバッファ機能実体を有し、その目的は、切替過程に当該するデータを管理及びバッファリングすることで、端末の共通機能実体が必要とされるデータ伝送が切替に起因して中止されたことが発生しないよう確保する。
【００４２】
ここまでに開示された実施例は例示として本発明を説明するものに過ぎず、これに限定するものではない。本発明の範囲は前記した説明ではなく、特許請求の範囲の記載によって示され、特許請求の範囲の記載と均等の意味及び範囲内での全ての変更が含まれることは当業者に理解されるところである。
【図面の簡単な説明】
【００４３】
【図１】本発明に係るシステムの構成を示す図である。
【図２】本発明の動作手順を示す図である。
【図３】双距離ネットワークサーバの機能モジュールの構造を示す図である。
【図４】双距離ネットワークサーバが切替えをする時のフローチャートである。
【図５】双距離端末の機能構造を示す図である。